(57)【要約】【課題】端子電極部分におけるＥＳＬを大幅に低減することができる積層コンデンサ、複合コンデンサおよびコンデンサモジュール、ならびにコンデンサの配置方法を提供する。【解決手段】隣接するコンデンサブロック１Ａ，１Ｂ間で、互いに極性の異なる端子電極同士を絶縁状態を保って対向するように配置する。これにより、極性の異なる電極同士の対向面積を大きくする。また、仮想グランド面ＧＮＤに対する各端子電極の距離を短くする。これにより、隣接するコンデンサブロック１Ａ，１Ｂ間で、正極側端子電極１３，２３に発生する磁界と負極側端子電極１４，２４に発生する磁界とが十分に打ち消し合い、端子電極部分におけるＥＳＬが低減する。【選択図】図１
2007115759.tif 000002
【特許請求の範囲】
【請求項１】
２つ以上のコンデンサブロックが複合された複合コンデンサであって、
前記各コンデンサブロックは、
誘電体層、少なくとも１層の第１の内部電極、および前記誘電体層を介して前記第１の内部電極に対して交互に対向配置された少なくとも１層の第２の内部電極を有するコンデンサ本体と、
前記コンデンサ本体の外部に設けられ、前記第１の内部電極に導通された少なくとも１つの入力電極と、
前記コンデンサ本体の外部に設けられ、前記第２の内部電極に導通された少なくとも１つの出力電極と
を備え、
一方のコンデンサブロックの入力電極と他方のコンデンサブロックの出力電極とが互いに絶縁状態を保って対向するように配置されると共に、前記一方のコンデンサブロックの出力電極と前記他方のコンデンサブロックの入力電極とが互いに絶縁状態を保って対向するように配置されて前記各コンデンサブロック同士が一体化されている
ことを特徴とする複合コンデンサ。
【請求項２】
前記各コンデンサブロックの前記コンデンサ本体は多面体形状であり、前記コンデンサ本体の１つの側面に前記入力電極と前記出力電極とが形成され、
前記入力電極と前記出力電極とが形成された側面同士が、互いに絶縁状態を保って対向するように配置されて、２つのコンデンサブロック同士が一体化されている
ことを特徴とする請求項１に記載の複合コンデンサ。
【請求項３】
前記各コンデンサブロックの前記コンデンサ本体は多面体形状であり、前記コンデンサ本体の２つ以上の側面に前記入力電極と前記出力電極とが形成され、
前記入力電極と前記出力電極とが形成された側面同士が、互いに絶縁状態を保って対向するように配置されて、３以上のコンデンサブロック同士が一体化されている
ことを特徴とする請求項１に記載の複合コンデンサ。
【請求項４】
前記各コンデンサブロックの前記入力電極および前記出力電極は、前記コンデンサ本体の少なくとも１つの側面から底面まで延在しており、
前記各コンデンサブロックの少なくとも１つの側面において、対向する電極の少なくとも一方の表面に絶縁層が設けられている
ことを特徴とする請求項２または３に記載の複合コンデンサ。
【請求項５】
前記各コンデンサブロックの前記入力電極および前記出力電極は、前記コンデンサ本体の少なくとも１つの側面から底面まで延在しており、前記コンデンサ本体の底面において、前記各コンデンサブロックの対向する電極間を跨るように絶縁層が設けられている
ことを特徴とする請求項２ないし４のいずれか１項に記載の複合コンデンサ。
【請求項６】
２つ以上のコンデンサブロックと前記各コンデンサブロックが実装される実装基板とを備えたコンデンサモジュールであって、
前記各コンデンサブロックは、
誘電体層、少なくとも１層の第１の内部電極、および前記誘電体層を介して前記第１の内部電極に対して交互に対向配置された少なくとも１層の第２の内部電極を有するコンデンサ本体と、
前記コンデンサ本体の外部に設けられ、前記第１の内部電極に導通された少なくとも１つの入力電極と、
前記コンデンサ本体の外部に設けられ、前記第２の内部電極に導通された少なくとも１つの出力電極と
を備え、
前記実装基板上において、一方のコンデンサブロックの入力電極と他方のコンデンサブロックの出力電極とが互いに絶縁状態を保って対向するように配置されると共に、前記一方のコンデンサブロックの出力電極と前記他方のコンデンサブロックの入力電極とが互いに絶縁状態を保って対向するように配置されている
ことを特徴とするコンデンサモジュール。
【請求項７】
前記各コンデンサブロックの前記コンデンサ本体は多面体形状であり、
前記各コンデンサブロックの前記入力電極および前記出力電極は、前記コンデンサ本体の少なくとも１つの側面から底面まで延在しており、
前記実装基板は、前記各コンデンサブロックの前記入力電極に導通される第１の配線層と、絶縁層を介して前記第１の配線層に対して上側に対向配置され前記各コンデンサブロックの前記出力電極に導通される第２の配線層とを有し、
前記出力電極は、前記コンデンサ本体の底面に形成された電極部分において前記第２の配線層に直接導通され、
前記入力電極は、前記コンデンサ本体の底面に形成された電極部分において、スルーホールを介して前記第１の配線層に間接的に導通されている
ことを特徴とする請求項６に記載のコンデンサモジュール。
【請求項８】
２つ以上のコンデンサブロックを配置するコンデンサの配置方法であって、
前記各コンデンサブロックが、
誘電体層、少なくとも１層の第１の内部電極、および前記誘電体層を介して前記第１の内部電極に対して交互に対向配置された少なくとも１層の第２の内部電極を有するコンデンサ本体と、
前記コンデンサ本体の外部に設けられ、前記第１の内部電極に導通された少なくとも１つの入力電極と、
前記コンデンサ本体の外部に設けられ、前記第２の内部電極に導通された少なくとも１つの出力電極と
を備えており、
一方のコンデンサブロックの入力電極と他方のコンデンサブロックの出力電極とを互いに絶縁状態を保って対向するように配置すると共に、前記一方のコンデンサブロックの出力電極と前記他方のコンデンサブロックの入力電極とを互いに絶縁状態を保って対向するように配置する
ことを特徴とするコンデンサの配置方法。
【請求項９】
誘電体層、少なくとも１層の第１の内部電極、および前記誘電体層を介して前記第１の内部電極に対して交互に対向配置された少なくとも１層の第２の内部電極を有するコンデンサ本体と、
前記コンデンサ本体の外部に設けられ、前記第１の内部電極に導通された少なくとも１つの入力電極と、
前記コンデンサ本体の外部に設けられ、前記第２の内部電極に導通された少なくとも１つの出力電極と
を備え、
前記コンデンサ本体は多面体形状であり、
前記入力電極および前記出力電極は、前記コンデンサ本体の少なくとも１つの側面から底面まで延在しており、その少なくとも１つの側面において、前記入力電極および前記出力電極の少なくとも一方の表面に絶縁層が設けられている
ことを特徴とする積層コンデンサ。
【発明の詳細な説明】
【技術分野】
【０００１】
本発明は、誘電体層を介して複数の内部電極を交互に積層して構成されたコンデンサに関し、特に、電源回路に接続されるデカップリングコンデンサなどに利用される積層コンデンサ、複合コンデンサおよびコンデンサモジュール、ならびにコンデンサの配置方法に関する。
【背景技術】
【０００２】
従来より、内部電極を誘電体層を介して積層した積層コンデンサが知られている。図１７および図１８は、従来の一般的な積層コンデンサの一構成例を示している。この積層コンデンサは、略直方体形状のコンデンサ本体１０１と、コンデンサ本体１０１の長手方向にある第１の外部側面部分に形成された正極側端子電極（入力電極）１０２と、第１の外部側面に対向する第２の外部側面部分に形成された負極側端子電極（出力電極）１０３とを備えている。コンデンサ本体１０１の内部には、図１８に示したように、例えばセラミック誘電体からなる誘電体層１１３を介して、内部正極電極１１１および内部負極電極１１２を１組とした複数組の内部電極が積層されている。内部正極電極１１１および内部負極電極１１２は、略長方形状で、積層方向に交互に対向するように積層されている。内部正極電極１１１の一端部は、コンデンサ本体１０１の第１の外部側面に表出し、正極側端子電極１０２に導通されている。内部負極電極１１２の一端部は、コンデンサ本体１０１の第２の外部側面に表出し、負極側端子電極１０３に導通されている。
【０００３】
ところで、通常、コンデンサは、容量成分の他に等価直列抵抗（ＥＳＲ）や等価直列インダクタンス（ＥＳＬ）を有しており、これにより共振回路が形成され、その共振周波数よりも高い帯域ではコンデンサとして機能しなくなる。共振周波数はＥＳＬの値が小さいほど高くなるので、コンデンサにおいては、ＥＳＬを低減することが望まれている。特に、半導体集積回路の電源回路に使用されるデカップリングコンデンサなどでは、高速動作に対応した低ＥＳＬ化が要求されている。
【０００４】
特許文献１，２には、積層コンデンサにおいて低ＥＳＬ化を図るための技術が開示されている。図１９、図２０、および図２１を参照して、その低ＥＳＬ化の図られた低ＥＳＬコンデンサについて説明する。この低ＥＳＬコンデンサは、略直方体形状のコンデンサ本体２０１と、コンデンサ本体２０１の短手方向に対向する第１および第２の外部側面に形成された正極側端子電極２０２および負極側端子電極２０３とを備えている。正極側端子電極２０２と負極側端子電極２０３は、各側面内で交互に配置されている。コンデンサ本体２０１の内部には、例えばセラミック誘電体からなる誘電体層２１３を介して、内部正極電極２１１および内部負極電極２１２を１組とした複数組の内部電極が積層されている。内部正極電極２１１および内部負極電極２１２は、上下方向に交互に対向するように積層されている。なお、図１９では説明を簡略化するため１組の内部電極のみを図示しているが、複数組の内部電極が積層されていても良い。
【０００５】
内部正極電極２１１は、図２０に示したように全体として略長方形状とされ、短手方向に対向する２辺に、正極側端子電極２０２に導通される凸形状の正極側引出電極２２１が複数形成されている。内部負極電極２１２も同様、図２１に示したように全体として略長方形状とされ、短手方向に対向する２辺に、負極側端子電極２０３に導通される凸形状の負極側引出電極２２２が複数形成されている。正極側引出電極２２１と負極側引出電極２２２は、内部正極電極２１１と内部負極電極２１２とを対向配置した状態で上下方向から見たときに、水平面内で交互に配置されるような位置に形成されている。正極側引出電極２２１の端部がコンデンサ本体２０１の第１および第２の外部側面に表出し、正極側端子電極２０２に導通される。負極側引出電極２２２も同様に、端部がコンデンサ本体２０１の第１および第２の外部側面に表出し、負極側端子電極２０３に導通される。
【０００６】
このような構成とすることで、内部正極電極２１１では、図２０に示したように正極側引出電極２２１の端部側から内側方向へと電流ｉが流れる。一方、内部負極電極２１２では逆に、図２１に示したように内側から負極側引出電極の端部２２２側へと電流ｉが流れる。このように内部正極電極２１１と内部負極電極２１２とで、電流ｉの流れる向きが逆になる。これにより、内部正極電極２１１において電流ｉによって発生する磁界の向きと、内部負極電極２１２において電流ｉによって発生する磁界の向きとが逆方向となり、それらの磁界が互いに打ち消し合う。これによって、ＥＳＬの低減が図られる。
【０００７】
また特許文献３には、基板上に複数のコンデンサ素子を並設した固体電解コンデンサにおいて、低ＥＳＬ化を図るための技術が開示されている。具体的には、基板に導通路（ビアホール）を形成し、各コンデンサ素子の陽極電極および陰極電極をその基板のビアホールを介して基板裏面側の配線パターンに導通させる。この際、一方のコンデンサ素子の陽極が接続されるビアホールと、他方のコンデンサ素子の陰極が接続されるビアホールとが隣り合うようにする。これにより、陽極が接続されたビアホールと陰極が接続されたビアホールとにおいて発生する磁界が相殺され、ビアホール部分でのＥＳＬを低減している。
【特許文献１】特開２００１−１８５４４１号公報
【特許文献２】特開２００３−１６８６２１号公報
【特許文献３】特開２００５−１０８８７２号公報
【発明の開示】
【発明が解決しようとする課題】
【０００８】
しかしながら、図１９に示した低ＥＳＬコンデンサにおいて、ＥＳＬの発生は内部電極２１１，２１２のみで起きているわけではなく、実際には外部の端子電極２０２，２０３でも発生している。このため、内部電極２１１，２１２に対してのみＥＳＬ対策を行ったのではＥＳＬの低減効果は不十分である。
【０００９】
図２２（Ａ），図２２（Ｂ）および図２３を参照して、端子電極２０２，２０３でのＥＳＬについて説明する。なお、図２３は上面方向から見た端子電極２０２，２０３の配置を模式的に示したものである。図２０および図２１を参照して説明した内部電極２１１，２１２内での電流の流れる向きと同様に、正極側端子電極２０２と負極側端子電極２０３とでは、電流ｉの流れる向きが互いに逆向きになっており、互いに発生する磁界が打ち消し合っている（図２２（Ｂ）参照）。ここで、図２３に示したように端子電極２０２，２０３の部分に注目してみると、正極側端子電極２０２と負極側端子電極２０３との間に仮想的にグランド面ＧＮＤができている。言い換えると、端子電極２０２，２０３の近くにできるこの仮想的グランド面ＧＮＤによる効果で、ＥＳＬが小さくなるといえる。しかし、この構造では仮想的にできるグランド面ＧＮＤに対して端子電極２０２，２０３同士の対向面積が小さいために、端子電極部分のＥＳＬの低減効果が小さくなってしまっている。従って、この端子電極２０２，２０３同士の対向面積を大きくすることができれば、端子電極２０２，２０３の部分においてＥＳＬをより低減できると考えられる。
【００１０】
また特許文献３に記載の電解コンデンサは、基板のビアホール部分におけるＥＳＬを低減するものであり、コンデンサ素子の端子電極そのもののＥＳＬを低減するものではない。また、特許文献３に記載の電解コンデンサにおいて、ビアホール部分でのＥＳＬを効率的に低減するためには、隣り合うビアホール同士の対向面積を大きくすると共に、隣り合うビアホール同士の距離を小さくすることが好ましい。しかしながら、ビアホールの断面形状は、製造上、一般に円形またはそれに類似する形状（楕円等）に制約される。このため、対向面積を十分に確保できず、十分なＥＳＬ低減効果が得られない。さらに、製造上、隣り合うビアホール同士を近づけるには限界があり、距離の点においても十分なＥＳＬ低減効果が得られない。
【００１１】
本発明はかかる問題点に鑑みてなされたもので、その目的は、端子電極部分におけるＥＳＬを大幅に低減することができる積層コンデンサ、複合コンデンサおよびコンデンサモジュール、ならびにコンデンサの配置方法を提供することにある。
【課題を解決するための手段】
【００１２】
本発明による複合コンデンサは、２つ以上のコンデンサブロックが複合された複合コンデンサであって、各コンデンサブロックが、誘電体層、少なくとも１層の第１の内部電極、および誘電体層を介して第１の内部電極に対して交互に対向配置された少なくとも１層の第２の内部電極を有するコンデンサ本体と、コンデンサ本体の外部に設けられ、第１の内部電極に導通された少なくとも１つの入力電極と、コンデンサ本体の外部に設けられ、第２の内部電極に導通された少なくとも１つの出力電極とを備えているものである。そして、一方のコンデンサブロックの入力電極と他方のコンデンサブロックの出力電極とが互いに絶縁状態を保って対向するように配置されると共に、一方のコンデンサブロックの出力電極と他方のコンデンサブロックの入力電極とが互いに絶縁状態を保って対向するように配置されて各コンデンサブロック同士が一体化されているものである。
【００１３】
本発明によるコンデンサモジュールは、２つ以上のコンデンサブロックと各コンデンサブロックが実装される実装基板とを備えたコンデンサモジュールであって、各コンデンサブロックが、誘電体層、少なくとも１層の第１の内部電極、および誘電体層を介して第１の内部電極に対して交互に対向配置された少なくとも１層の第２の内部電極を有するコンデンサ本体と、コンデンサ本体の外部に設けられ、第１の内部電極に導通された少なくとも１つの入力電極と、コンデンサ本体の外部に設けられ、第２の内部電極に導通された少なくとも１つの出力電極とを備えているものである。そして、実装基板上において、一方のコンデンサブロックの入力電極と他方のコンデンサブロックの出力電極とが互いに絶縁状態を保って対向するように配置されると共に、一方のコンデンサブロックの出力電極と他方のコンデンサブロックの入力電極とが互いに絶縁状態を保って対向するように配置されているものである。
【００１４】
本発明によるコンデンサの配置方法は、２つ以上のコンデンサブロックを配置するコンデンサの配置方法であって、各コンデンサブロックが、誘電体層、少なくとも１層の第１の内部電極、および誘電体層を介して第１の内部電極に対して交互に対向配置された少なくとも１層の第２の内部電極を有するコンデンサ本体と、コンデンサ本体の外部に設けられ、第１の内部電極に導通された少なくとも１つの入力電極と、コンデンサ本体の外部に設けられ、第２の内部電極に導通された少なくとも１つの出力電極とを備えており、一方のコンデンサブロックの入力電極と他方のコンデンサブロックの出力電極とを互いに絶縁状態を保って対向するように配置すると共に、一方のコンデンサブロックの出力電極と他方のコンデンサブロックの入力電極とを互いに絶縁状態を保って対向するように配置するようにしたものである。
【００１５】
本発明による複合コンデンサおよびコンデンサモジュール、ならびにコンデンサの配置方法では、一方のコンデンサブロックの入力電極と他方のコンデンサブロックの出力電極とが互いに絶縁状態を保って対向するように配置されると共に、一方のコンデンサブロックの出力電極と他方のコンデンサブロックの入力電極とが互いに絶縁状態を保って対向するように配置されることで、隣接するコンデンサブロック間で、対向する入力電極と出力電極との間の仮想グランド面に対する対向面積が大きくなる。これにより、隣接するコンデンサブロック間において、それぞれの入力電極に発生する磁界とそれぞれの出力電極に発生する磁界とが、互いに十分に打ち消し合い、ＥＳＬが低減される。
【００１６】
本発明による積層コンデンサは、誘電体層、少なくとも１層の第１の内部電極、および誘電体層を介して第１の内部電極に対して交互に対向配置された少なくとも１層の第２の内部電極を有するコンデンサ本体と、コンデンサ本体の外部に設けられ、第１の内部電極に導通された少なくとも１つの入力電極と、コンデンサ本体の外部に設けられ、第２の内部電極に導通された少なくとも１つの出力電極とを備えているものである。そして、コンデンサ本体は多面体形状であり、入力電極および出力電極は、コンデンサ本体の少なくとも１つの側面から底面まで延在しており、その少なくとも１つの側面において、入力電極および出力電極の少なくとも一方の表面に絶縁層が設けられているものである。
【００１７】
本発明による積層コンデンサでは、コンデンサ本体の少なくとも１つの側面において、入力電極および出力電極の少なくとも一方の表面に絶縁層が設けられていることで、同様の構成の２つ以上のコンデンサブロックを実装する場合に、一方のコンデンサブロックの入力電極と他方のコンデンサブロックの出力電極とが互いに絶縁状態を保って対向するように配置させると共に、一方のコンデンサブロックの出力電極と他方のコンデンサブロックの入力電極とが互いに絶縁状態を保って対向するように配置させることが容易となる。これにより、隣接するコンデンサブロック間で、対向する入力電極と出力電極との間の仮想グランド面に対する対向面積が大きくなるように各コンデンサブロックを配置させることが容易となる。
【００１８】
本発明による複合コンデンサにおいて、各コンデンサブロックのコンデンサ本体が多面体形状であり、コンデンサ本体の１つの側面に入力電極と出力電極とが形成され、入力電極と出力電極とが形成された側面同士が、互いに絶縁状態を保って対向するように配置されて、２つのコンデンサブロック同士が一体化されいても良い。
もしくは、各コンデンサブロックのコンデンサ本体が多面体形状であり、コンデンサ本体の２つ以上の側面に入力電極と出力電極とが形成され、入力電極と出力電極とが形成された側面同士が、互いに絶縁状態を保って対向するように配置されて、３以上のコンデンサブロック同士が一体化されていても良い。
【００１９】
この場合においてさらに、各コンデンサブロックの入力電極および出力電極が、コンデンサ本体の少なくとも１つの側面から底面まで延在しており、各コンデンサブロックの少なくとも１つの側面において、対向する電極の少なくとも一方の表面に絶縁層が設けられていても良い。
【００２０】
さらに、各コンデンサブロックの入力電極および出力電極が、コンデンサ本体の少なくとも１つの側面から底面まで延在しており、コンデンサ本体の底面において、各コンデンサブロックの対向する電極間を跨るように絶縁層が設けられていても良い。
【００２１】
また、本発明によるコンデンサモジュールにおいて、各コンデンサブロックのコンデンサ本体が多面体形状であり、各コンデンサブロックの入力電極および出力電極は、コンデンサ本体の少なくとも１つの側面から底面まで延在しており、実装基板が、各コンデンサブロックの入力電極に導通される第１の配線層と、絶縁層を介して第１の配線層に対して上側に対向配置され各コンデンサブロックの出力電極に導通される第２の配線層とを有していても良い。そして、出力電極が、コンデンサ本体の底面に形成された電極部分において第２の配線層に直接導通され、入力電極が、コンデンサ本体の底面に形成された電極部分において、スルーホールを介して第１の配線層に間接的に導通されていても良い。
【発明の効果】
【００２２】
本発明の複合コンデンサおよびコンデンサモジュール、ならびにコンデンサの配置方法によれば、一方のコンデンサブロックの入力電極と他方のコンデンサブロックの出力電極とが互いに絶縁状態を保って対向するように配置すると共に、一方のコンデンサブロックの出力電極と他方のコンデンサブロックの入力電極とが互いに絶縁状態を保って対向するように配置するようにしたので、隣接するコンデンサブロック間で、対向する入力電極と出力電極との間の仮想グランド面に対する対向面積を大きくすることができ、これにより、端子電極部分（入力電極および出力電極）におけるＥＳＬを大幅に低減することができる。
【００２３】
本発明による積層コンデンサによれば、コンデンサ本体の少なくとも１つの側面において、入力電極および出力電極の少なくとも一方の表面に絶縁層を設けるようにしたので、同様の構成の２つ以上のコンデンサブロックを複合する場合に、一方のコンデンサブロックの入力電極と他方のコンデンサブロックの出力電極とを互いに絶縁状態を保って対向するように配置すると共に、一方のコンデンサブロックの出力電極と他方のコンデンサブロックの入力電極とを互いに絶縁状態を保って対向するように配置することが容易に行える。これにより、隣接するコンデンサブロック間で、対向する入力電極と出力電極との間の仮想グランド面に対する対向面積が大きくなるように各コンデンサブロックを配置させることができ、２つ以上のコンデンサブロックを複合する場合に、端子電極部分（入力電極および出力電極）におけるＥＳＬを大幅に低減することができる。
【発明を実施するための最良の形態】
【００２４】
以下、本発明の実施の形態について図面を参照して詳細に説明する。
［第１の実施の形態］
【００２５】
まず、本発明の第１の実施の形態に係る複合コンデンサについて説明する。図１は、本実施の形態に係る複合コンデンサ１の全体構成を示している。また図２は、この複合コンデンサ１の水平方向の断面構造を示している。この複合コンデンサ１は、例えばコンピュータのＣＰＵ（中央処理装置）に電力を供給する電源回路に接続されるデカップリングコンデンサとして好適に使用される。
この複合コンデンサ１は、積層コンデンサの構造を有する２つのコンデンサブロック１Ａ，１Ｂが複合されたものである。一方のコンデンサブロック１Ａは、第１および第２の内部電極１１，１２を有するコンデンサ本体１０と、コンデンサ本体１０の外部に設けられ、第１の内部電極１１に導通された第１の端子電極１３と、コンデンサ本体１０の外部に設けられ、第２の内部電極１２に導通された第２の端子電極１４とを備えている。他方のコンデンサブロック１Ｂも構造的には同様であり、第１および第２の内部電極２１，２２を有するコンデンサ本体２０と、コンデンサ本体２０の外部に設けられ、第１の内部電極２１に導通された第１の端子電極２３と、コンデンサ本体２０の外部に設けられ、第２の内部電極２２に導通された第２の端子電極２４とを備えている。なお、図１では、各電極の厚みを省略して図示を簡略化している。
【００２６】
ここで、一方のコンデンサブロック１Ａにおいて、第１および第２の端子電極１３，１４のうち、いずれが正極側（入力側）または負極側（出力側）となるかは、配線基板の配線パターンや励振のさせ方で決まり、コンデンサ単体としては構造的に正極、負極の区別はない。また例えば交流駆動される場合には、第１および第２の端子電極１３，１４が交互に正極または負極となる。しかしながら以下では説明を簡単にするため、便宜上、第１の端子電極１３を「正極側端子電極（入力電極）」、第２の端子電極１４を「負極側端子電極（出力電極）」として説明する。また、正極側端子電極１３に導通された第１の内部電極１１を「内部正極電極」、負極側端子電極１４に導通された第２の内部電極１２を「内部負極電極」として説明する。他方のコンデンサブロック１Ｂも同様に、第１の端子電極２３を「正極側端子電極」、第２の端子電極２４を「負極側端子電極」、正極側端子電極２３に導通された第１の内部電極２１を「内部正極電極」、負極側端子電極２４に導通された第２の内部電極２２を「内部負極電極」として説明する。
【００２７】
一方のコンデンサブロック１Ａのコンデンサ本体１０は、全体として略直方体形状に形成され、その内部には、図３および図４に示したような内部正極電極１１および内部負極電極１２が、例えばセラミック誘電体からなる図示しない誘電体層を介して、少なくとも１層ずつ上下方向に交互に対向するように積層配置されている。なお、図１では内部正極電極１１と内部負極電極１２とが１層ずつ設けられた例を示しているが、内部電極の積層数はこれよりも多くても構わない。内部正極電極１１は、図３に示したように全体として略長方形状とされ、正極側端子電極１３に対応する辺側に、正極側端子電極１３に導通される凸形状の正極側引出電極１５が複数形成されている。正極側引出電極１５は、正極側端子電極１３の数に対応する数だけ設けられている。内部負極電極１２も同様、図４に示したように全体として略長方形状とされ、負極側端子電極１４に対応する辺側に、負極側端子電極１４に導通される凸形状の負極側引出電極１６が複数形成されている。負極側引出電極１６は、負極側端子電極１４の数に対応する数だけ設けられている。正極側引出電極１５と負極側引出電極１６は、内部正極電極１１と内部負極電極１２とを対向配置した状態で上下方向から見たときに、水平面内で交互に配置されるような位置に形成されている。
【００２８】
また、正極側引出電極１５の端部と負極側引出電極１６の端部は、正極側端子電極１３と負極側端子電極１４との配置に対応して、コンデンサ本体１０の外部側面において、面内で交互に表出するように形成されている。正極側引出電極１５の端部がコンデンサ本体１０の外部側面に表出することで、正極側端子電極１３に導通される。負極側引出電極１６も同様に、端部がコンデンサ本体１０の外部側面に表出することで、負極側端子電極１４に導通される。他方のコンデンサブロック１Ｂのコンデンサ本体２０についても同様の内部構造となっている。
【００２９】
一方のコンデンサブロック１Ａにおける正極側端子電極１３と負極側端子電極１４は、コンデンサ本体１０の１つの外部側面において交互に配置されている。正極側端子電極１３と負極側端子電極１４はまた、側面のほか、少なくとも実装面となる底面に形成されている。ここで、図１に示したように底面と共に上面にも正極側端子電極１３と負極側端子電極１４とを延在させ上下対称的な構造にすることで、実装時に上下の区別をする必要がなくなり、実装作業が容易となる。なお、図１では１つの側面に、正極側端子電極１３と負極側端子電極１４とが２つずつ設けられているが、側面に形成する端子電極の数は、特にこれに限定されるものではなく、これよりも多いまたは少ない構成でも良い。また、端子電極を形成する側面は、短手方向に対向する面に限らず、長手方向に対向する面にあっても良い。他方のコンデンサブロック１Ｂにおける正極側端子電極２３と負極側端子電極２４の構造についても同様である。
【００３０】
この複合コンデンサ１は、図２に示したように、一方のコンデンサブロック１Ａの正極側端子電極１３と他方のコンデンサブロック１Ｂの負極側端子電極２４とが互いに絶縁状態を保って対向するように配置されている。また、一方のコンデンサブロック１Ａの負極側端子電極１４と他方のコンデンサブロック１Ｂの正極側端子電極２３とが互いに絶縁状態を保って対向するように配置されている。このように、各端子電極が形成された側面同士が、互いに絶縁状態を保って対向するように配置されて、２つのコンデンサブロック１Ａ，１Ｂ同士が一体化されている。コンデンサブロック１Ａ，１Ｂは互いの端子電極がショートしないように、絶縁部材３１を介して対向配置されている。絶縁部材３１は、例えば絶縁性の接着材であり、その接着材によりコンデンサブロック１Ａ，１Ｂが互いに一体化されている。なお、接着材のほか、薄い絶縁性の板が挟み込まれていても良い。また絶縁部材３１としては、薄い酸化膜であっても良い。
【００３１】
図６は、この複合コンデンサ１を実装したコンデンサモジュールの一構成例を示している。このコンデンサモジュールは、複合コンデンサ１とこの複合コンデンサ１が実装された実装基板４０とを備えている。実装基板４０は、第１の配線層４１と、第２の配線層４２と、絶縁層４３とを有している。第２の配線層４２は、絶縁層４３を介して第１の配線層４１に対して上側に対向配置されている。第１の配線層４１と第２の配線層４２とには、同一時刻では互いに異なる極性の交流電圧または直流電圧が印加される。
【００３２】
第２の配線層４２の上面には、正極側端子電極１３，２３と負極側端子電極１４，２４とが導通しないよう、非導通領域４４が形成されている。非導通領域４４を除く領域が全体的に導通領域となっている。非導通領域４４は、少なくとも正極側端子電極１３，２３の底面部分に対応する領域に形成されている。負極側端子電極１４，２４は、その底面の電極部分が第２の配線層４２の導通領域に接することで直接導通されている。一方、正極側端子電極１３，２３は、第２の配線層４２における非導通領域４４からスルーホール４５を介して、その底面の電極部分が第１の配線層４１に間接的に導通されている。
【００３３】
次に、この複合コンデンサ１の作用、効果を説明する。
まず、内部電極部分でのＥＳＬ低減効果について説明する。一方のコンデンサブロック１Ａのコンデンサ本体１０において、内部正極電極１１では、図３に示したように正極側引出電極１５の端部側から内側方向へと電流ｉが流れる。一方、内部負極電極１２では逆に、図４に示したように内側から負極側引出電極の端部１６側へと電流ｉが流れる。このように内部正極電極１１と内部負極電極１２とで、電流ｉの流れる向きが逆になる。これにより、内部正極電極１１において電流ｉによって発生する磁界の向きと、内部負極電極１２において電流ｉによって発生する磁界の向きとが逆方向となり、それらの磁界が互いに打ち消し合う。これによって、コンデンサ本体１０内における内部電極部分でのＥＳＬの低減が図られる。他方のコンデンサブロック１Ｂのコンデンサ本体２０についても同様の構造により、内部電極部分でのＥＳＬの低減が図られる。
【００３４】
次に、この複合コンデンサ１の最大の特徴である端子電極部分でのＥＳＬ低減効果について説明する。図５は、この複合コンデンサ１における水平方向の断面内における端子電極の配置を模式的に示している。端子電極部分において、より大きいＥＳＬの低減効果を得るためには、仮想グランド面ＧＮＤに対する各端子電極の距離を短くすると共に、各端子電極の対向面積を増やすことである。本実施の形態に係る複合コンデンサ１では、隣接するコンデンサブロック１Ａ，１Ｂ間で、互いに極性の異なる端子電極同士を絶縁状態を保って対向するように配置していることで、極性の異なる電極同士の対向面積を大きくすることができる。また、対向する端子電極間の距離は、絶縁部材３１の厚みで規定されるので、仮想グランド面ＧＮＤに対する各端子電極の距離を短くすることができる。これにより、隣接するコンデンサブロック１Ａ，１Ｂ間で、正極側端子電極１３，２３に発生する磁界と負極側端子電極１４，２４に発生する磁界とが十分に打ち消し合い、端子電極部分におけるＥＳＬを大幅に低減することができる。
【００３５】
実際に、従来の低ＥＳＬコンデンサ（図１９）と本実施の形態に係る複合コンデンサ１とにおけるＥＳＬ値を調べたところ、従来の低ＥＳＬコンデンサでは約４７ｐＨであるのに対し、本実施の形態では約１７ｐＨという結果が得られ、ＥＳＬ値を十分に低減することができた。なお、対向する端子電極間の距離は１００μｍとした。端子電極の数は全体として８端子とした。またコンデンサの容量は同じにして比較した。
＜第１の実施の形態の第１の変形例＞
【００３６】
図７は、上記第１の実施の形態に係る複合コンデンサ１の底面（実装面）の構造を示している。上記したように、この複合コンデンサ１では、対向する端子電極間の距離Ｗが短い方が、より大きいＥＳＬの低減効果が得られる。しかしながら、対向する端子電極間の距離Ｗが短くなってくると、基板に実装する際に極性の異なる電極同士がショートし易くなる。そこで、図８に示した第１の変形例のように、各コンデンサブロック１Ａ，１Ｂの対向する電極間を跨るように、印刷法などにより絶縁層３２を設けるようにしても良い。これにより、対向する端子電極間の距離Ｗを短くしてＥＳＬの低減効果を持たせつつ、実装面での対向する端子電極間のショートを防止することができる。なお、絶縁層３２は底面のみでなく、上面にも同様に設けるようにしても良い。上下対称的な構造にすることで、実装時に上下の区別をする必要がなくなり、実装作業が容易となる。
＜第１の実施の形態の第２の変形例＞
【００３７】
上記第１の実施の形態では、図２に示したように、接着剤などの絶縁部材３１を介してコンデンサブロック１Ａ，１Ｂを一体化することで、互いに極性の異なる端子電極同士を絶縁状態を保って対向するように配置していたが、絶縁状態の保ち方はこれに限らない。例えば、図９に示したように、各コンデンサブロック１Ａ，１Ｂの側面において、対向する電極の少なくとも一方の表面に絶縁層３３を設けることで、端子電極同士の絶縁状態を保つようにしても良い。
【００３８】
図９の構成例では、一方のコンデンサブロック１Ａの正極側端子電極１３の側面部分の表面と、他方のコンデンサブロック１Ｂの正極側端子電極２３の側面部分の表面とに絶縁層３３を設けている。この構成の場合、実装前において必ずしもコンデンサブロック１Ａ，１Ｂが一体化されている必要はなく、実装前の状態では完全に個別の積層コンデンサ部品として扱うこともできる。そして例えば、実装時に絶縁層３３を介してコンデンサブロック１Ａ，１Ｂの側面部分を密着させるような配置方法を採っても良い。なお、すべての端子電極の側面部分の表面に絶縁層３３を設けても良い。すなわち、この変形例では、電極表面に絶縁層３３が設けられていることで、コンデンサブロック１Ａ，１Ｂがあらかじめ一体化されていなくとも、実装時に、隣接するコンデンサブロック１Ａ，１Ｂ間で極性の異なる端子電極同士が互いに絶縁状態を保って対向するように配置させることが容易となる。これにより、隣接するコンデンサブロック１Ａ，１Ｂ間で、対向する端子電極間の対向面積が大きくなるように各コンデンサブロック１Ａ，１Ｂを配置させることが容易となる。
＜第１の実施の形態の第３の変形例＞
【００３９】
図１０は第３の変形例を示している。上記第１の実施の形態では、図２に示したように対向する端子電極間全体を、接着剤などの絶縁部材３１で埋めるような構成にしていたが、図１０に示した第３の変形例では、対向する端子電極間を空気層としている。また、図１０では、コンデンサブロック１Ａ，１Ｂの側面の両端部分のみに絶縁部材３１を設けて両者を一体化している。
＜第１の実施の形態の第４の変形例＞
【００４０】
図１１は第４の変形例を示している。上記第１の実施の形態では、コンデンサブロック１Ａ，１Ｂ間で、すべての端子電極について極性の異なる端子電極同士を対向配置させるようにしていたが、図１１に示した第４の変形例のように、一部の端子電極のみを対向配置させるようにしても良い。なお、図１１では、図２に示した構成と比べて、他方のコンデンサブロック１Ｂにおける正極側端子電極２３と負極側端子電極２４との配置が異なっているが、既に説明したように、どの端子電極が正極側（入力側）または負極側（出力側）となるかは配線基板の配線パターンや励振のさせ方で決まるので、各コンデンサブロック１Ａ，１Ｂの単体の構造としては図１１と図２は同じである。
［第２の実施の形態］
【００４１】
次に、本発明の第２の実施の形態に係る複合コンデンサについて説明する。なお、上記第１の実施の形態に係る複合コンデンサ１（図１）と実質的に同一の構成部分には同一の符号を付し、適宜説明を省略する。上記第１の実施の形態に係る複合コンデンサ１では、２つのコンデンサブロック１Ａ，１Ｂが複合された構造について説明したが、３以上のコンデンサブロックを複合することもできる。
【００４２】
図１２は、本実施の形態に係る複合コンデンサ２の一構成例を示している。この複合コンデンサ２は、積層コンデンサの構造を有する３つのコンデンサブロック２Ａ，２Ｂ，２Ｃが並列的に配置され、複合されたものである。各コンデンサブロック２Ａ，２Ｂ，２Ｃはそれぞれ、略直方体形状のコンデンサ本体１０Ａ，２０Ａ，３０Ａと、コンデンサ本体１０Ａ，２０Ａ，３０Ａの外部に設けられた端子電極とを備えている。上記第１の実施の形態における一方のコンデンサブロック１Ａでは、コンデンサ本体１０の１つの外部側面に正極側端子電極１３と負極側端子電極１４とが設けられていたが、本実施の形態における第１のコンデンサブロック２Ａでは、コンデンサ本体１０Ａの対向する２つの外部側面に正極側端子電極１３と負極側端子電極１４とが設けられている。なお、上記第１の実施の形態と同様、正極側端子電極１３と負極側端子電極１４は、側面のほか、少なくとも実装面となる底面に形成されている。第２および第３のコンデンサブロック２Ｂ，２Ｃについても同様に、対向する２つの外部側面に端子電極が設けられている。
【００４３】
また、本実施の形態では、コンデンサ本体１０Ａ内の内部電極の形状が、端子電極が設けられた位置に対応した形状となっている。すなわち、内部正極電極１１Ａは、図１３に示したように全体として略長方形状とされ、正極側端子電極１３に対応する２つの辺側に、正極側端子電極１３に導通される凸形状の正極側引出電極１５が複数形成されている。正極側引出電極１５は、正極側端子電極１３の数に対応する数だけ設けられている。内部負極電極１２も同様、図１４に示したように全体として略長方形状とされ、負極側端子電極１４に対応する２つの辺側に、負極側端子電極１４に導通される凸形状の負極側引出電極１６が複数形成されている。負極側引出電極１６は、負極側端子電極１４の数に対応する数だけ設けられている。正極側引出電極１５の端部と負極側引出電極１６の端部は、正極側端子電極１３と負極側端子電極１４との配置に対応して、コンデンサ本体１０Ａの２つの外部側面において、面内で交互に表出するように形成されている。正極側引出電極１５の端部がコンデンサ本体１０Ａの２つの外部側面に表出することで、正極側端子電極１３に導通される。負極側引出電極１６も同様に、端部がコンデンサ本体１０Ａの２つの外部側面に表出することで、負極側端子電極１４に導通される。第２および第３のコンデンサブロック２Ｂ，２Ｃのコンデンサ本体２０Ａ，３０Ａについても同様の内部構造となっている。
【００４４】
この複合コンデンサ２は、上記第１の実施の形態に係る複合コンデンサ１と同様、隣接するコンデンサブロック間で、互いに極性の異なる端子電極同士が絶縁状態を保って対向するように各コンデンサブロックが配置されている。すなわち、第１のコンデンサブロック２Ａの正極側端子電極１３と第２のコンデンサブロック２Ｂの負極側端子電極２４とが互いに絶縁状態を保って対向するように配置されている。また、第１のコンデンサブロック２Ａの負極側端子電極１４と第２のコンデンサブロック２Ｂの正極側端子電極２３とが互いに絶縁状態を保って対向するように配置されている。第２のコンデンサブロック２Ｂと第３のコンデンサブロック２Ｃとについても同様である。このように、各端子電極が形成された側面同士が、互いに絶縁状態を保って対向するように配置されて、３つのコンデンサブロック２Ａ，２Ｂ，２Ｃ同士が一体化されている。コンデンサブロック２Ａ，２Ｂ，２Ｃは互いの端子電極がショートしないように、絶縁部材３１を介して対向配置されている。
【００４５】
なお、３つに限らず、４つ以上のコンデンサブロックを並列配置して複合するようにしても良い。また、この複合コンデンサ２の実装構造は上記第１の実施の形態と同様である。
【００４６】
この複合コンデンサ２におけるＥＳＬ低減の原理は、上記第１の実施の形態と同様である。本実施の形態によれば、ＥＳＬを低減しつつ、３以上のコンデンサブロックを複合することができる。
［第３の実施の形態］
【００４７】
次に、本発明の第３の実施の形態に係る複合コンデンサについて説明する。なお、上記第１の実施の形態に係る複合コンデンサ１（図１）と実質的に同一の構成部分には同一の符号を付し、適宜説明を省略する。
【００４８】
図１５は、本実施の形態に係る複合コンデンサ３の一構成例を示している。この複合コンデンサ３は、積層コンデンサの構造を有する４つのコンデンサブロック３Ａ，３Ｂ，３Ｃ，３Ｄが複合されたものである。各コンデンサブロック３Ａ，３Ｂ，３Ｃ，３Ｄはそれぞれ、略直方体形状のコンデンサ本体と、コンデンサ本体の外部に設けられた端子電極とを備えている。上記第１の実施の形態における一方のコンデンサブロック１Ａでは、コンデンサ本体１０の１つの外部側面に正極側端子電極１３と負極側端子電極１４とが設けられていたが、本実施の形態における第１のコンデンサブロック３Ａでは、コンデンサ本体１０Ｂの水平方向の断面形状が略正方形状とされ、４つの外部側面にすべて正極側端子電極１３と負極側端子電極１４とが設けられている。なお、上記第１の実施の形態と同様、正極側端子電極１３と負極側端子電極１４は、側面のほか、少なくとも実装面となる底面に形成されている。その他のコンデンサブロック３Ｂ，３Ｃ，３Ｄについても同様に、４つの外部側面に端子電極が設けられている。
【００４９】
なお、図示は省略するが、各コンデンサブロック３Ａ，３Ｂ，３Ｃ，３Ｄにおけるコンデンサ本体内の内部電極の形状は、端子電極が設けられた数および位置に対応した形状となっている。
【００５０】
この複合コンデンサ３は、上記第１の実施の形態に係る複合コンデンサ１と同様、隣接するコンデンサブロック間で、互いに極性の異なる端子電極同士が絶縁状態を保って対向するように各コンデンサブロックが配置されている。すなわち、第１のコンデンサブロック３Ａの正極側端子電極１３と第２のコンデンサブロック３Ｂの負極側端子電極２４とが互いに絶縁状態を保って対向するように配置されている。また、第１のコンデンサブロック３Ａの負極側端子電極１４と第２のコンデンサブロック３Ｂの正極側端子電極２３とが互いに絶縁状態を保って対向するように配置されている。その他のコンデンサブロック同士についても同様である。このように、各端子電極が形成された側面同士が、互いに絶縁状態を保って対向するように配置されて、４つのコンデンサブロック３Ａ，３Ｂ，３Ｃ，３Ｄ同士が一体化されている。コンデンサブロック３Ａ，３Ｂ，３Ｃ，３Ｄは互いの端子電極がショートしないように、絶縁部材３１を介して対向配置されている。
【００５１】
なお、４つに限らず、２もしくは３、または５つ以上のコンデンサブロックを配置して複合するようにしても良い。また、この複合コンデンサ３の実装構造は上記第１の実施の形態と同様である。
【００５２】
この複合コンデンサ３におけるＥＳＬ低減の原理は、上記第１の実施の形態と同様である。本実施の形態によれば、ＥＳＬを低減しつつ、３以上のコンデンサブロックを複合することができる。特に、水平方向の断面形状を略正方形状とし、その正方形の各辺に対応する部分に端子電極を設けて複合するようにしたので、複数のコンデンサブロックを効率的に配置することができる。
［第４の実施の形態］
【００５３】
次に、本発明の第４の実施の形態に係る複合コンデンサについて説明する。なお、上記第１の実施の形態に係る複合コンデンサ１（図１）と実質的に同一の構成部分には同一の符号を付し、適宜説明を省略する。上記各実施の形態では、コンデンサ本体の水平方向の断面形状が四角形とされ、４つの側面を有するような構造について説明したが、これ以外の形状であっても構わない。
【００５４】
図１６は、本実施の形態に係る複合コンデンサ４の一構成例を示している。この複合コンデンサ４は、積層コンデンサの構造を有する２つのコンデンサブロック４Ａ，４Ｂが複合されたものである。各コンデンサブロック４Ａ，４Ｂはそれぞれ、略三角柱形状のコンデンサ本体１０Ｃ，２０Ｃと、コンデンサ本体１０Ｃ，２０Ｃの外部に設けられた端子電極とを備えている。上記第１の実施の形態における一方のコンデンサブロック１Ａでは、コンデンサ本体１０の１つの外部側面に正極側端子電極１３と負極側端子電極１４とが設けられていたが、本実施の形態における一方のコンデンサブロック４Ａでは、コンデンサ本体１０Ｃの水平方向の断面形状が略三角形状とされ、その３つの外部側面にすべて正極側端子電極１３と負極側端子電極１４とが設けられている。なお、上記第１の実施の形態と同様、正極側端子電極１３と負極側端子電極１４は、側面のほか、少なくとも実装面となる底面に形成されている。他方のコンデンサブロック４Ｂについても同様に、コンデンサ本体２０Ｃの水平方向の断面形状が略三角形状とされ、その３つの外部側面にすべて正極側端子電極２３と負極側端子電極２４とが設けられている。
【００５５】
なお、図示は省略するが、各コンデンサブロック４Ａ，４Ｂにおけるコンデンサ本体内の内部電極の形状は、端子電極が設けられた数および位置に対応した形状となっている。
【００５６】
この複合コンデンサ４は、上記第１の実施の形態に係る複合コンデンサ１と同様、隣接するコンデンサブロック４Ａ，４Ｂ間で、互いに極性の異なる端子電極同士が絶縁状態を保って対向するように各コンデンサブロック４Ａ，４Ｂが配置されている。すなわち、一方のコンデンサブロック４Ａの正極側端子電極１３と他方のコンデンサブロック４Ｂの負極側端子電極２４とが互いに絶縁状態を保って対向するように配置されている。また、一方のコンデンサブロック４Ａの負極側端子電極１４と他方のコンデンサブロック４Ｂの正極側端子電極２３とが互いに絶縁状態を保って対向するように配置されている。このように、各端子電極が形成された側面同士が、互いに絶縁状態を保って対向するように配置されて、２つコンデンサブロック４Ａ，４Ｂ同士が一体化されている。コンデンサブロック４Ａ，４Ｂは互いの端子電極がショートしないように、絶縁部材３１を介して対向配置されている。
【００５７】
なお、本実施の形態では、コンデンサ本体の水平方向の断面形状が略三角形状とされ、その３つの外部側面にすべて端子電極が設けられているので、同様の形状の３つ以上のコンデンサブロックを配置して複合することが可能である。また、この複合コンデンサ４の実装構造は上記第１の実施の形態と同様である。
【００５８】
この複合コンデンサ４におけるＥＳＬ低減の原理は、上記第１の実施の形態と同様である。本実施の形態によれば、ＥＳＬを低減しつつ、２以上のコンデンサブロックを複合することができる。特に、水平方向の断面形状を略三角形状とし、その三角形の各辺に対応する部分に端子電極を設けて複合するようにしたので、複数のコンデンサブロックを効率的に配置することができる。また、断面形状を略三角形状としたことで、例えば同一面積で比べた場合、上記第３の実施の形態に係る複合コンデンサ３（図１５）のような四角形状にして配置した場合と比べて、端子電極の数を増やすことができ、全体として端子電極間の対向面積を増やし、よりＥＳＬを低減することができる。
【００５９】
なお、本発明は、上記各実施の形態に限定されず種々の変形実施が可能である。例えば、上記第１の実施の形態に係る各変形例と上記第２ないし第４の実施の形態とを組み合わせた構造も可能である。さらに、コンデンサ本体の水平方向の断面形状は、四角形や三角形状である場合に限らず、５角以上の多角形状であっても良い。コンデンサ本体が全体として多面体形状であれば良い。
【図面の簡単な説明】
【００６０】
【図１】本発明の第１の実施の形態に係る複合コンデンサの全体構成を簡略化して示す外観図である。
【図２】本発明の第１の実施の形態に係る複合コンデンサの水平方向の断面構造を示す断面図である。
【図３】本発明の第１の実施の形態に係る複合コンデンサにおける内部正極電極の構造を示す平面図である。
【図４】本発明の第１の実施の形態に係る複合コンデンサにおける内部負極電極の構造を示す平面図である。
【図５】対向する電極間の仮想的なグランド面についての説明図である。
【図６】本発明の第１の実施の形態に係るコンデンサモジュールの構造を簡略化して示す外観図である。
【図７】本発明の第１の実施の形態に係る複合コンデンサの底面の電極構造を示す底面図である。
【図８】本発明の第１の実施の形態の第１の変形例に係る複合コンデンサの底面の電極構造を示す底面図である。
【図９】本発明の第１の実施の形態の第２の変形例に係る複合コンデンサの水平方向の断面構造を示す断面図である。
【図１０】本発明の第１の実施の形態の第３の変形例に係る複合コンデンサの水平方向の断面構造を示す断面図である。
【図１１】本発明の第１の実施の形態の第４の変形例に係る複合コンデンサの水平方向の断面構造を示す断面図である。
【図１２】本発明の第２の実施の形態に係る複合コンデンサの全体構成を簡略化して示す平面図である。
【図１３】本発明の第２の実施の形態に係る複合コンデンサにおける内部正極電極の構造を示す平面図である。
【図１４】本発明の第２の実施の形態に係る複合コンデンサにおける内部負極電極の構造を示す平面図である。
【図１５】本発明の第３の実施の形態に係る複合コンデンサの全体構成を簡略化して示す平面図である。
【図１６】本発明の第４の実施の形態に係る複合コンデンサの全体構成を簡略化して示す平面図である。
【図１７】従来の積層コンデンサの全体構成を示す外観図である。
【図１８】従来の積層コンデンサの積層方向の断面図である。
【図１９】従来の低ＥＳＬコンデンサの基本構成を示す外観図である。
【図２０】従来の低ＥＳＬコンデンサにおける一方の内部電極の構成を示す平面図である。
【図２１】従来の低ＥＳＬコンデンサにおける他方の内部電極の構成を示す平面図である。
【図２２】従来の低ＥＳＬコンデンサの構成を示す図であり、（Ａ）は上面方向から見た図、（Ｂ）は側面方向から見た図である。
【図２３】従来の低ＥＳＬコンデンサにおける問題点を説明するための図である。
【符号の説明】
【００６１】
１，２，３，４…複合コンデンサ、１Ａ，１Ｂ，２Ａ，２Ｂ，２Ｃ，３Ａ，３Ｂ，３Ｃ，３Ｄ，４Ａ，４Ｂ…コンデンサブロック、１０，２０…コンデンサ本体、１１，２１…内部正極電極、１２，２２…内部負極電極、１３，２３…正極側端子電極、１４，２４…負極側端子電極、１５…正極側引出電極、１６…負極側引出電極、３１…絶縁部材、３２…絶縁層、４０…実装基板、４１…第１の配線層、４２…第２の配線層。
【図１】
2007115759.tif 000003
【図２】
2007115759.tif 000004
【図３】
2007115759.tif 000005
【図４】
2007115759.tif 000006
【図５】
2007115759.tif 000007
【図６】
2007115759.tif 000008
【図７】
2007115759.tif 000009
【図８】
2007115759.tif 000010
【図９】
2007115759.tif 000011
【図１０】
2007115759.tif 000012
【図１１】
2007115759.tif 000013
【図１２】
2007115759.tif 000014
【図１３】
2007115759.tif 000015
【図１４】
2007115759.tif 000016
【図１５】
2007115759.tif 000017
【図１６】
2007115759.tif 000018
【図１７】
2007115759.tif 000019
【図１８】
2007115759.tif 000020
【図１９】
2007115759.tif 000021
【図２０】
2007115759.tif 000022
【図２１】
2007115759.tif 000023
【図２２】
2007115759.tif 000024
【図２３】
2007115759.tif 000025